(57)【要約】【課題】  製品の複合化や、さまざまな付加機能をユーザー自身が行なう際に、外す必要のないビスを外して、外装カバーを外したり、外す必要のない外装カバーを不用意に外すことなく、また、サービスマンによる修理や、メンテナンス等を行なう際には、容易に外装カバーを外すことができる画像形成装置を提供することを目的としている。【解決手段】  画像形成装置に搭載可能な機器を搭載した画像形成装置において、画像形成装置の本体フレームを覆うように配置された外装カバーと、該外装カバーを画像形成装置の本体フレームに取付けるための取付け部と、画像形成装置に搭載可能な機器を画像形成装置に取付けるための取付け部とを備え、画像形成装置に搭載可能な機器を画像形成装置から取り外した位置に、画像形成装置の本体フレームと外装カバーとの締結部を設けた。【選択図】  図１
2008158082.tif 000002
【特許請求の範囲】
【請求項１】
画像形成装置に搭載可能な機器を搭載した画像形成装置において、前記画像形成装置の本体フレームを覆うように配置された外装カバーと、該外装カバーを前記画像形成装置の本体フレームに取付けるための取付け部と、前記画像形成装置に搭載可能な機器を前記画像形成装置に取付けるための取付け部とを備え、前記画像形成装置に搭載可能な機器を前記画像形成装置から取り外した位置に、前記画像形成装置の本体フレームと前記外装カバーとの締結部を設けたことを特徴とする画像形成装置。
【請求項２】
画像形成装置の上部に搭載可能な機器を搭載した画像形成装置において、前記画像形成装置の本体フレームを覆うように配置された外装カバーと、該外装カバーを前記画像形成装置の本体フレームに取付けるための取付け部と、前記画像形成装置の上部に搭載可能な機器を前記画像形成装置に取付けるための取付け部とを備え、前記画像形成装置の上部に搭載可能な機器を前記画像形成装置から取り外した位置に、前記画像形成装置の本体フレームと前記外装カバーとの締結部を設けたことを特徴とする画像形成装置。
【請求項３】
前記画像形成装置に搭載可能な機器は、静止原稿を載置するための原稿台ガラスと、該原稿台ガラス上に載置される静止原稿を押えるための原稿押圧板と、前記原稿台ガラス上に載置された静止原稿を移動走査して読み取るための画像読取手段を有することを特徴とする請求項1、または2記載の画像形成装置。
【請求項４】
前記画像形成装置に搭載可能な機器は、複数枚のシート原稿を載置するための原稿載置台と、分離・搬送手段により搬送されているシート原稿を静止した状態で読み取るための画像読取手段を有することを特徴とする請求項1、または2記載の画像形成装置。
【請求項５】
前記画像形成装置に搭載可能な機器は、画像形成装置から排出された排出紙を複数の排出口に排出する排出手段を有することを特徴とする請求項1、または2に記載の画像形成装置。
【発明の詳細な説明】
【技術分野】
【０００１】
本発明は、画像形成装置に搭載可能な機器を搭載した画像形成装置に関するものである。
【背景技術】
【０００２】
従来の画像形成装置に搭載可能な機器である画像読取装置を搭載した構成の例について、図15を用いて説明する。同図において、
コピーに先立ち、ユーザーは、原稿台ガラス32上に原稿を載置し、不図示の操作パネルに設けられたコピーボタンを押圧すると、この押圧を受けてコピー動作が開始する。画像読取装置5は、原稿台ガラス32の下面側に沿って延びるガイド部材であるガイド軸31に案内されて、モータ30やベルト29等から成る駆動手段により、原稿台ガラス27上に載置された原稿を走査するために移動するキャリッジ35を有している。
【０００３】
前述のコピー動作の開始により、先ず、照射ランプ33を点灯させると、原稿から反射した光は、結象手段（不図示）を介してＣＣＤ34に入射する。このＣＣＤ34は、主走査方向に延びる撮像素子であり、入射した光を電気信号へと光電変換する。そして、光電変換された電気信号は、画像処理を経て画像信号として画像記録手段であるメモリに一旦格納される。
【０００４】
尚、画像読取部には密着型イメージセンサを用いても良い。又、複数のシート原稿を１枚ずつ分離し、分離されたシート原稿をシート原稿読取部に送り込む原稿送り装置を、静止原稿を押えるための原稿押圧板に一体に設けてこれを原稿台ガラス上部に開閉可能に配置しているもの等がある。
【０００５】
一方、画像形成装置本体3は、給紙カセット21から給紙ローラ22によって１枚ずつ給送されたシート状記録媒体としての記録紙20を搬送路Ｄに送り込み、この記録紙15を搬送ローラ23へと搬送する。また、前述のメモリに格納された画像信号がレーザ書込部に入力され、レーザビームによる走査により静電潜像が感光ドラム25上に形成される。
【０００６】
上記静電潜像は、現像手段によって現像されて現像画像として顕像化される。尚、感光ドラム25や転写ローラ24等によって画像形成手段が構成されている。
【０００７】
このようにして転写ニップ部において、記録紙20は感光ドラム25上の現像画像が転写された後、感光ドラム25から分離され、搬送ベルト26によって定着装置27へと搬送される。定着装置27は、加熱部材と加圧ローラとで記録紙20を挟圧搬送し、記録紙20に転写されている未定着画像を記録紙20上に定着させる。そして、現像画像が定着された記録紙20は、案内路Ｅを経て記録紙排出ローラによって記録紙排出トレイ28に排出される。
【０００８】
上記、従来構成の画像読取装置を搭載した画像形成装置において、画像形成装置の本体フレームを覆うように外装カバーが設けられている。前記外装カバーは、画像形成装置の本体フレームに対して、着脱可能に取付けられ、その取付け方法は、画像形成装置に搭載される画像読取装置を画像形成装置に搭載、結合した後に、画像形成装置の本体フレームへビス等で取付けられている場合や、外装カバーに設けられた取付け形状により、外装カバーと外装カバーとで結合されている場合などがある。
【０００９】
従来例としては、例えば特許文献１と特許文献２をあげることが出来る。
【特許文献１】特開平06-317954号公報
【特許文献２】特開2000-236406号公報
【発明の開示】
【発明が解決しようとする課題】
【００１０】
しかしながら、上記のような従来技術の場合には、以下に列挙するような問題があった。
【００１１】
1） 製品の複合化や、さまざまな付加機能の追加により、ユーザー自身がさまざまな付加機能追加を行なうことが増加している。その際、ユーザーが画像形成装置の外装カバーを取付けているビス等を緩めて、画像形成装置の本体フレーム等から外装カバーを外し、さまざまな付加機能を追加する。その際、ユーザーが間違って緩める必要のないビスを緩めて、外す必要のない外装カバーを外してしまう可能性がある。
【００１２】
2） 製品の複合化や、さまざまな付加機能の追加により、ユーザー自身がさまざまな付加機能追加を行なうことが増加している。その際、ユーザーが画像形成装置の外装カバーと外装カバーとの結合部を外して、画像形成装置の外装カバーを外し、さまざまな付加機能を追加する。その際、ユーザーが間違って、外す必要のない外装カバーを外してしまう可能性がある。
【００１３】
3） ユーザーが誤って外装カバーを取り外すことがないように、画像形成装置から外装カバーを容易に外すことができないようにしてしまうと、サービスマンによる修理や、メンテナンス等を行なう際に、容易に外装カバーを外すことができなくなってしまい、作業効率が悪くなる。
【課題を解決するための手段】
【００１４】
上記の目的を達成するために、請求項1記載の発明は、画像形成装置に搭載可能な機器を搭載した画像形成装置において、前記画像形成装置の本体フレームを覆うように配置された外装カバーと、該外装カバーを前記画像形成装置の本体フレームに取付けるための取付け部と、前記画像形成装置に搭載可能な機器を前記画像形成装置に取付けるための取付け部とを備え、前記画像形成装置に搭載可能な機器を前記画像形成装置から取り外した位置に、前記画像形成装置の本体フレームと前記外装カバーとの締結部を設けたことを特徴とする。
【００１５】
請求項2記載の発明は、画像形成装置の上部に搭載可能な機器を搭載した画像形成装置において、前記画像形成装置の本体フレームを覆うように配置された外装カバーと、該外装カバーを前記画像形成装置の本体フレームに取付けるための取付け部と、前記画像形成装置の上部に搭載可能な機器を前記画像形成装置に取付けるための取付け部とを備え、前記画像形成装置の上部に搭載可能な機器を前記画像形成装置から取り外した位置に、前記画像形成装置の本体フレームと前記外装カバーとの締結部を設けたことを特徴とする。
【００１６】
請求項3記載の発明は、請求項1、または2記載の発明において、前記画像形成装置の上部に搭載可能な機器は、静止原稿を載置するための原稿台ガラスと、該原稿台ガラス上に載置される静止原稿を押えるための原稿押圧板と、前記原稿台ガラス上に載置された静止原稿を移動走査して読み取るための画像読取手段を有することを特徴とする。
【００１７】
請求項4記載の発明は、請求項1、または2記載の発明において、前記画像形成装置の上部に搭載可能な機器は、複数枚のシート原稿を載置するための原稿載置台と、分離・搬送手段により搬送されているシート原稿を静止した状態で読み取るための画像読取手段を有することを特徴とする。
【００１８】
請求項5記載の発明は、請求項1、または2記載の発明において、前記画像形成装置の上部に搭載可能な機器は、画像形成装置から排出された排出紙を複数の排出口に排出する排出手段を有することを特徴とする。
【発明の効果】
【００１９】
以上説明したように、本発明によれば、画像形成装置に搭載可能な機器を搭載した画像形成装置において、画像形成装置に搭載可能な機器を画像形成装置から取り外した位置に、画像形成装置の本体フレームと外装カバーとの締結部を設けたことにより、画像形成装置に搭載可能な機器を画像形成装置から取り外さないと、画像形成装置の本体フレームから画像形成装置の外装カバーが外れないため、ユーザーが不用意に外装カバーを取り外すこともなく、安全に、また安定して、画像形成装置に搭載可能な機器を搭載した画像形成装置を使用することができる。さらに、サービスマン等の修理や、メンテナンス時には、容易に画像形成装置の外装カバーを取り外すことができるため、作業性も向上する。
【発明を実施するための最良の形態】
【００２０】
（実施例１）
図1、及び図2は、本発明の第１の実施の形態に係る画像読取装置を搭載することが可能な画像形成装置の概略図である。
【００２１】
図1、及び図2において、コピーに先立ち、ユーザーは、原稿台ガラス32上に原稿を載置し、不図示の操作パネルに設けられたコピーボタンを押圧すると、この押圧を受けてコピー動作が開始する。画像読取装置5は、原稿台ガラス32の下面側に沿って延びるガイド部材であるガイド軸31に案内されて、モータ30やベルト29等から成る駆動手段により、原稿台ガラス27上に載置された原稿を走査するために移動するキャリッジ35を有している。
【００２２】
前述のコピー動作の開始により、先ず、照射ランプ33を点灯させると、原稿から反射した光は、結象手段（不図示）を介してＣＣＤ34に入射する。このＣＣＤ34は、主走査方向に延びる撮像素子であり、入射した光を電気信号へと光電変換する。そして、光電変換された電気信号は、画像処理を経て画像信号として画像記録手段であるメモリに一旦格納される。
【００２３】
尚、画像読取部には密着型イメージセンサを用いても良い。又、複数のシート原稿を１枚ずつ分離し、分離されたシート原稿をシート原稿読取部に送り込む原稿送り装置を、静止原稿を押えるための原稿押圧板に一体に設けてこれを原稿台ガラス上部に開閉可能に配置しているもの等がある。
【００２４】
一方、画像形成装置本体3は、給紙カセット21から給紙ローラ22によって１枚ずつ給送されたシート状記録媒体としての記録紙20を搬送路Ｄに送り込み、この記録紙15を搬送ローラ23へと搬送する。また、前述のメモリに格納された画像信号がレーザ書込部に入力され、レーザビームによる走査により静電潜像が感光ドラム25上に形成される。
【００２５】
上記静電潜像は、現像手段によって現像されて現像画像として顕像化される。尚、感光ドラム25や転写ローラ24等によって画像形成手段が構成されている。
【００２６】
このようにして転写ニップ部において、記録紙20は感光ドラム25上の現像画像が転写された後、感光ドラム25から分離され、搬送ベルト26によって定着装置27へと搬送される。定着装置27は、加熱部材と加圧ローラとで記録紙20を挟圧搬送し、記録紙20に転写されている未定着画像を記録紙20上に定着させる。そして、現像画像が定着された記録紙20は、案内路Ｅを経て記録紙排出ローラによって記録紙排出トレイ28に排出される。
【００２７】
ところで、画像読取装置5を搭載することが可能な画像形成装置7には、本体フレーム3を覆うように取付けられる外装カバー1、及び外装カバー2と、該外装カバー1、及び外装カバー2には、本体フレーム3へ取付けるための取付け部1a、1b、2a、2bと、外装カバー1、及び外装カバー2と本体フレーム3を結合するための取付けビス4と、画像形成装置7と画像読取装置5を結合するためのビス6が設けられている。
【００２８】
外装カバー1、及び外装カバー2を画像形成装置の本体フレーム3に取付けるには、外装カバー1、及び外装カバー2を図3の矢印方向におのおの組付け、本体フレーム3に設けられた取付け部3a、3b、3c、3dに対応する外装カバー1、及び外装カバー2の取付け部1a、1b、2a、2bとを図4に示す取付けビス4で取付ける。
【００２９】
画像読取装置を結合する前の状態である画像形成装置7は、図5に示すように本体フレーム3を覆うように外装カバー1、及び外装カバー2が取付けられ、取付けビス4及び、外装カバー1、及び外装カバー2の取付け部、本体フレーム3の取付け部3a、3b、3c、3dは、画像読取装置5を取付ける位置に設けているため、画像形成装置7の側方部から見ることができないようになっている。そして、画像形成装置7の上部から画像読取装置5を図6の矢印方向から結合し、取付けビス6によって画像形成装置7と画像読取装置5を結合する（図７参照）。これにより、画像形成装置7の外装カバー1、及び外装カバー2は、画像形成装置7に搭載可能な画像読取装置5が画像形成装置7に結合されている状態では、本体フレーム3から外装カバー1、及び外装カバー2を取り外すことができないようになる。
【００３０】
このように、本実施の形態においては、画像読取装置5を搭載した画像形成装置7において、画像形成装置7の本体フレーム3を覆うように配置された外装カバー1、及び外装カバー2と、外装カバー1、及び外装カバー2を画像形成装置7の本体フレーム3に取付けるための取付け部1a、1b、2a、2bと、画像読取装置5を画像形成装置7に取付けるための取付け部3a、3b、3c、3dが画像読取装置5を画像形成装置7から取り外した位置に、画像形成装置7の本体フレーム3と外装カバー1、及び外装カバー2との締結部を設けたことで、画像読取装置5を画像形成装置7から取り外した後に、本体フレーム3から外装カバー1、及び外装カバー2を取り外すことが可能となる。
【００３１】
（実施例２）
図8、及び図9は、本発明の第2の実施の形態に係る排出装置を搭載することが可能な画像形成装置の概略図である。
【００３２】
図8、及び図9において、画像形成装置本体3は、給紙カセット21から給紙ローラ22によって１枚ずつ給送されたシート状記録媒体としての記録紙20を搬送路Ｄに送り込み、この記録紙15を搬送ローラ23へと搬送する。また、前述のメモリに格納された画像信号がレーザ書込部に入力され、レーザビームによる走査により静電潜像が感光ドラム25上に形成される。
【００３３】
上記静電潜像は、現像手段によって現像されて現像画像として顕像化される。尚、感光ドラム25や転写ローラ24等によって画像形成手段が構成されている。
【００３４】
このようにして転写ニップ部において、記録紙20は感光ドラム25上の現像画像が転写された後、感光ドラム25から分離され、搬送ベルト26によって定着装置27へと搬送される。定着装置27は、加熱部材と加圧ローラとで記録紙20を挟圧搬送し、記録紙20に転写されている未定着画像を記録紙20上に定着させる。そして、現像画像が定着された記録紙20は、案内路Ｅを経て記録紙排出ローラによって記録紙排出トレイ28に排出される。
【００３５】
一方、画像形成装置7に搭載された排出装置8は、画像形成装置から排出された記録紙を搬送路の切替により、第二排紙ローラ36、または第三排紙ローラ37によって、複数の排出口に排出する第二排出トレイ38、及び第三排出トレイ39を備えている。
【００３６】
ところで、排出装置8を搭載することが可能な画像形成装置7には、本体フレーム3を覆うように取付けられる外装カバー1、及び外装カバー2と、該外装カバー1、及び外装カバー2には、本体フレーム3へ取付けるための取付け部1a、1b、2a、2bと、外装カバー1、及び外装カバー2と本体フレーム3を結合するための取付けビス4と、画像形成装置7と排出装置8を結合するためのビス6が設けられている。
【００３７】
外装カバー1、及び外装カバー2を画像形成装置の本体フレーム3に取付けるには、外装カバー1、及び外装カバー2を図10の矢印方向におのおの組付け、本体フレーム3に設けられた取付け部3a、3b、3c、3dに対応する外装カバー1、及び外装カバー2の取付け部1a、1b、2a、2bとを図11に示す取付けビス4で取付ける。
【００３８】
排出装置を結合する前の状態である画像形成装置7は、図12に示すように本体フレーム3を覆うように外装カバー1、及び外装カバー2が取付けられ、取付けビス4及び、外装カバー1、及び外装カバー2の取付け部、本体フレーム3の取付け部3a、3b、3c、3dは、排出装置8を取付ける位置に設けているため、画像形成装置7の側方部から見ることができないようになっている。そして、画像形成装置7の上部から排出装置8を図13の矢印方向から結合し、取付けビス6によって画像形成装置7と排出装置8を結合する（図１４参照）。これにより、画像形成装置7の外装カバー1、及び外装カバー2は、画像形成装置7に搭載可能な排出装置8が画像形成装置7に結合されている状態では、本体フレーム3から外装カバー1、及び外装カバー2を取り外すことができないようになる。
【００３９】
このように、本実施の形態においては、排出装置8を搭載した画像形成装置7において、画像形成装置7の本体フレーム3を覆うように配置された外装カバー1、及び外装カバー2と、外装カバー1、及び外装カバー2を画像形成装置7の本体フレーム3に取付けるための取付け部1a、1b、2a、2bと、排出装置8を画像形成装置7に取付けるための取付け部3a、3b、3c、3dが排出装置8を画像形成装置7から取り外した位置に、画像形成装置7の本体フレーム3と外装カバー1、及び外装カバー2との締結部を設けたことで、排出装置8を画像形成装置7から取り外した後に、本体フレーム3から外装カバー1、及び外装カバー2を取り外すことが可能となる。
【図面の簡単な説明】
【００４０】
【図１】本発明の第1の実施の形態に係る画像読取装置を備えた画像形成装置概略構成図である。
【図２】本発明の第1の実施の形態に係る画像読取装置を備えた画像形成装置の断面図である。
【図３】外装カバーを本体フレームへ取付ける説明図である。
【図４】外装カバーを本体フレームへ取付け後の説明図である。
【図５】外装カバーが取付けられた状態の画像形成装置の説明図である。
【図６】画像読取装置を画像形成装置へ取付ける説明図である。
【図７】画像読取装置を画像形成装置へ取付け後の斜視図である。
【図８】本発明の第2の実施の形態に係る排出装置を備えた画像形成装置概略構成図である。
【図９】本発明の第2の実施の形態に係る排出装置を備えた画像形成装置の断面図である。
【図１０】外装カバーを本体フレームへ取付ける説明図である。
【図１１】外装カバーを本体フレームへ取付け後の説明図である。
【図１２】外装カバーが取付けられた状態の画像形成装置の説明図である。
【図１３】排出装置を画像形成装置へ取付ける説明図である。
【図１４】排出装置を画像形成装置へ取付け後の斜視図である。
【図１５】従来の画像読取装置を備えた画像形成装置の断面図である。
【符号の説明】
【００４１】
１  外装カバー
１a、１ｂ  外装カバーの取付け部
２  外装カバー
２a、2ｂ  外装カバーの取付け部
３  本体フレーム
３a、３b、３c、３d  本体フレームの取付け部
４  外装カバー取付けビス
５  画像読取装置
６  画像読取装置取付けビス
７  画像形成装置
８  排出装置
２０  記録紙
２１  給紙カセット
２２  給紙ローラ
２３  搬送ローラ
２４  転写ローラ
２５  感光体ドラム
２６  搬送ベルト
２７  定着装置
２８  排紙部
２９  ベルト
３０  モータ
３１  ガイド軸
３２  原稿台ガラス
３３  照射ランプ
３４  ＣＣＤ
３５  キャリッジ
３６  第二排紙ローラ
３７  第三排紙ローラ
３８  第二排紙トレイ
３９  第三排紙トレイ
【図１】
2008158082.tif 000003
【図２】
2008158082.tif 000004
【図３】
2008158082.tif 000005
【図４】
2008158082.tif 000006
【図５】
2008158082.tif 000007
【図６】
2008158082.tif 000008
【図７】
2008158082.tif 000009
【図８】
2008158082.tif 000010
【図９】
2008158082.tif 000011
【図１０】
2008158082.tif 000012
【図１１】
2008158082.tif 000013
【図１２】
2008158082.tif 000014
【図１３】
2008158082.tif 000015
【図１４】
2008158082.tif 000016
【図１５】
2008158082.tif 000017